(57)【要約】【課題】オフ／低電力またはスタンバイ状態からオン／始動動作状態への迅速な遷移を容易にするシステムおよび方法を提供すること。【解決手段】テレビジョンの制御および画像システムであって、スクリーンと、該スクリーンに結合された画像表示システムと、該表示システムと該スクリーンとに結合されたオンスクリーンディスプレイ（ＯＳＤ）コントローラと、該ＯＳＤコントローラに結合された制御モジュールであって、該制御モジュールは、低減電力動作モードを有するように構成されたメインプロセッサを含み、該メインプロセッサは、該低減電力動作モードの間に、該テレビジョンの動作パラメータを維持するように適合されている、制御モジュールとを含む、システム。【選択図】図１
2010063098.tif 000002
【特許請求の範囲】
【請求項１】
テレビジョンの制御および画像表示システムであって、
スクリーンと、
該スクリーンに結合された画像表示システムと、
該表示システムと該スクリーンとに結合されたオンスクリーンディスプレイ（ＯＳＤ）コントローラと、
該ＯＳＤコントローラに結合された制御モジュールであって、該制御モジュールは、低減電力動作モードを有するように構成されたメインプロセッサを含み、該メインプロセッサは、該低減電力動作モードの間に、該テレビジョンの動作パラメータを維持するように適合されている、制御モジュールと
を含む、システム。
【請求項２】
前記制御モジュールは、低電力プロセッサをさらに含む、請求項１に記載のシステム。
【請求項３】
前記制御モジュールは、第１および第２のシャットダウンモジュールを含み、前記メインプロセッサは、第１のシャットダウンモードにおいて、低減電力モードを維持し、該メインプロセッサへの電力は、第２のシャットダウンモードにおいて、該低電力プロセッサがアクティブであり続けるままでオフにされる、請求項２に記載のシステム。
【請求項４】
前記制御モジュールは、前記第１のシャットダウンモジュールと前記第２のシャットダウンモジュールとの間で選択するようにユーザに促すように構成されている制御システムを含む、請求項３に記載のシステム。
【請求項５】
前記低電力プロセッサは、システムの電力が前記第１のシャットダウンモードにあるときに、動作を再開する命令を前記メインプロセッサに送信し、システム電力が前記第２のシャットダウンモードにあるときに、電力をオンにする命令を該メインプロセッサに送信するように構成されている、請求項３に記載のシステム。
【請求項６】
テレビジョンのシャットダウンプロセスであって、
低減電力モードのシャットダウンに入るステップであって、該テレビジョンは、該低減電力モードのシャットダウンと低電力モードのシャットダウンとを有する、ステップと、
低減電力モードのシャットダウンの間において、システムパラメータを維持するステップと、
視覚インジケータ表示システムが、低減電力モードのシャットダウンにあることを表示するステップと
を含む、プロセス。
【請求項７】
シャットダウンする命令を受信するステップと、
前記低減電力シャットダウンモードと前記低電力モードとの間での選択をユーザに促すステップと
をさらに含む、請求項６に記載のプロセス。
【請求項８】
起動する命令を受信するステップと、
メインプロセッサに動作を再開するように命令するステップであって、該メインプロセッサは、システムの動作パラメータが維持される低減電力動作モードを有する、請求項７に記載のプロセス。
【請求項９】
前記メインプロセッサに動作を再開するように命令する前記ステップは、低電力プロセッサから該再開する命令を送信するステップを含む、請求項８に記載のプロセス。
【請求項１０】
前記低電力プロセッサが画像表示エンジンに電力供給するステップをさらに含む、請求項９に記載のプロセス。
【請求項１１】
テレビジョンのシャットダウンプロセスであって、
低電力モードのシャットダウンに入るステップであって、該テレビジョンは、低減電力モードのシャットダウンと該低電力モードのシャットダウンとを含む、ステップと、
低減電力モードのシャットダウンにある間に、システムの動作パラメータを維持するステップと、
視覚インジケータ表示システムが、低減電力モードのシャットダウンにあることを表示するステップと
を含む、プロセス。
【請求項１２】
シャットダウンする命令を受信するステップと、
前記低減電力シャットダウンモードと前記低電力モードとの間での選択をユーザに促すステップと
をさらに含む、請求項１１に記載のプロセス。
【請求項１３】
起動する命令を受信するステップと、
低電力プロセッサを用いることにより、メインプロセッサの電力をオンにするステップであって、該メインプロセッサは、システムの動作パラメータが維持される低減電力動作モードを有する、ステップと、
起動システムチェックを実行するステップと、
メインプロセッサに動作を開始するように命令するステップと
をさらに含む、請求項１２に記載のプロセス。
【請求項１４】
メインプロセッサに動作を開始するように命令する前記ステップは、前記低電力プロセッサから前記開始する命令を送信するステップを含む、請求項１３に記載のプロセス。
【請求項１５】
前記低電力プロセッサが画像表示エンジンに電力供給するステップをさらに含む、請求項１４に記載のプロセス。
【発明の詳細な説明】
【技術分野】
【０００１】
本発明は、概して、テレビジョンに関し、さらに詳細には、オフ／低電力（ｌｏｗ  ｐｏｗｅｒ）状態から始動／作動状態への迅速な遷移を容易にするシステムおよび方法に関する。
【背景技術】
【０００２】
テレビジョンの性能は、拡大し、改良し続け、テレビジョンのマイクロプロセッサ上で走るソフトウェアアプリケーションを起動させるためにより大きくかつより遅くなることを必要とするので、消費者の不満に関する１つの領域は、テレビジョンを始動して番組を見始めるためにかかる時間である。一部の例において、消費者がボタンを押すことと、消費者が番組を見始めることができることとの間の遅延は、非常に重要である。テレビは最初に電源を切るサイクルを行わなければならないので、電源ボタンを押すことによって、テレビが電源を切られただけである場合には、この遅延が、増加し、消費者のフラストレーションを伴う。
【０００３】
この課題に対処する試みは、低電力または従来のシャットダウンモードと迅速な電源オンモードとを含む、オフ状態における２つの動作モードを消費者に提供することにつながった。しかしながら、迅速な電源オンモードは、多くの標準の動作プロセスを走らせ続けるので、一般的に、かなりの量の電力を消費する。
【発明の概要】
【発明が解決しようとする課題】
【０００４】
したがって、オフ／低電力またはスタンバイ状態からオン／始動動作状態への迅速な遷移を容易にするシステムおよび方法を提供することが望ましい。
【課題を解決するための手段】
【０００５】
本明細書に記述された実施形態は、低減電力（ｒｅｄｕｃｅｄ  ｐｏｗｅｒ）状態、すなわち、スタンバイから始動／動作状態への迅速な遷移を提供する方法、システム、および装置に関する。迅速な始動システムを備えているテレビジョンの好適な実施形態において、テレビジョンは、好適には制御モジュールの形態で描かれたプログラマブルロジックを含む。制御モジュールは、テレビジョンのオンスクリーンディスプレイ（ＯＳＤ）コントローラに結合され、該オンスクリーンディスプレイ（ＯＳＤ）コントローラはまた、テレビジョンの表示エンジンに結合され、該表示エンジンは、スクリーンに光学的に結合されている。コントロールモジュールは、好適には、１つ以上のプロセッサまたはＣＰＵを含み、該１つ以上のプロセッサまたはＣＰＵは、テレビジョンのハードウェアのユーザインタフェースおよび制御装置を管理する。
【０００６】
近年の開発において、特定のＣＰＵまたは集積されたチップ上システム、例えば、ＡＭＤのＸｉｌｌｅｏｎ（商標）プロセスチップは、現在、代替の動作状態または動作モードを含み、該代替の動作状態または動作モードは、かなり少ない電力を利用しながら、依然として、テレビジョンＲＡＭメモリにおいて重要なデータを保持する。テレビジョンは、有利なことに、テレビジョンが「スタンバイモード」にあるときに、ソフトウェア自体と、テレビジョンのＲＡＭメモリの現在のデータとを保持することによって、ＣＰＵの低電力の動作モードを利用する。結果として、テレビジョンは、より速く始動し、そして、標準の電源オフモードにおいて動作する場合よりも迅速に「スタンバイ」状態／モードから番組を見ることを可能にする。「スタンバイ」モードにおいて、ＣＰＵが標準モードの動作パラメータを維持するので、テレビジョンの起動およびシステムの調査プロセスは、かなり減少される。さらに電力を低減させるために、非常に電力効率の良い、より単純な別個のＣＰＵが、メインＣＰＵの電力のオン／オフの切り替えを制御するために使用され得る。スタンドバイモードにおいて、メインＣＰＵが、電源を切られている間、このより単純なＣＰＵは、遠隔制御装置のコマンド、前面のキーを押すこと、および他のイベントを検出する責任があり得る。
【０００７】
動作において、システムは、動作の初期モードとして、「スタンバイ」モードもしくは「低電力モード」のいずれかでセットアップされるか、またはユーザは、メインＣＰＵが非働化された「スタンバイ」モード、もしくは「低電力」モード、すなわち、ユーザに「電源オフ」と表示された、メインＣＰＵが非働化されるモードのいずれかを選択することによってテレビジョンの電源を切る選択肢を提供される。スタンバイモードが、選択された場合には、異なる色のＬＥＤなどの視覚インジケータが、好適には、テレビジョンがスタンバイモードにおいて動作していることを消費者に知らせるために提供される。
【０００８】
テレビジョンを起動するプロセスは、個々のコンポーネントを始動する様々なステップを含む。テレビジョンが、低電力モードにあり、メインＣＰＵが、電源を切られるか、または非働化されたときには、メインＣＰＵにおけるソフトウェアの始動およびロードは、テレビジョンの起動プロセスにおける遅延を加える。電源オンという意図されたユーザモードを中断するために、より単純なＣＰＵを使用し、平行して、表示エンジンを始動することによって、テレビジョンは、いずれのモードにおいても起動時間をかなり減少させ得る。
【０００９】
メインＣＰＵの起動時間は、表示エンジンを起動させるためにかかる時間を超え得るので、低電力ＣＰＵまたはメインＣＰＵ（完全に起動される前）が、起動の間の表示に対する入力信号を提供する場合には、表示エンジンは、経験をさらに向上させ得る。起動の間に利用可能である基本的なグラフィックエンジンを提供することによって、かかる表示は、砂時計、会社のロゴ、映画館のカーテンの光景を描いている水平方向に動作するカーテンの形態であり得、それが、ＰＯＷＥＲキー／ボタンがユーザによって押された後、テレビジョンが起動プロセスにあるという迅速な表示をユーザに提供する。
【００１０】
本発明の他の目的、他のシステム、他の方法、他の特徴および他の利点が、以下の図面と詳細な記述とを考察すると、当業者には、明らかであるか、または明らかになる。全てのかかるさらなるシステム、方法、特徴、および利点が、この記述の範囲内に含まれること、本発明の範囲内であること、そして、添付の特許請求の範囲によって保護されることが、意図されている。特定の方法および装置は、単なる例示として示されており、限定としては示されていないことが理解される。当業者には理解されるように、本明細書において述べられる原理と特徴とは、様々な多数の実施形態において利用され得る。
【００１１】
したがって、本発明は、以下を提供する。
（項目１）  
テレビジョンの制御および画像表示システムであって、
スクリーンと、
該スクリーンに結合された画像表示システムと、
該表示システムと該スクリーンとに結合されたオンスクリーンディスプレイ（ＯＳＤ）コントローラと、
該ＯＳＤコントローラに結合された制御モジュールであって、該制御モジュールは、低減電力動作モードを有するように構成されたメインプロセッサを含み、該メインプロセッサは、該低減電力動作モードの間に、該テレビジョンの動作パラメータを維持するように適合されている、制御モジュールと
を含む、システム。
（項目２）  
上記制御モジュールは、低電力プロセッサをさらに含む、上記項目のいずれか一項に記載のシステム。
（項目３）  
上記制御モジュールは、第１および第２のシャットダウンモジュールを含み、上記メインプロセッサは、第１のシャットダウンモードにおいて、低減電力モードを維持し、該メインプロセッサへの電力は、第２のシャットダウンモードにおいて、該低電力プロセッサがアクティブであり続けるままでオフにされる、上記項目のいずれか一項に記載のシステム。
（項目４）  
上記制御モジュールは、上記第１のシャットダウンモジュールと上記第２のシャットダウンモジュールとの間で選択するようにユーザに促すように構成されている制御システムを含む、上記項目のいずれか一項に記載のシステム。
（項目５）  
上記低電力プロセッサは、システムの電力が上記第１のシャットダウンモードにあるときに、動作を再開する命令を上記メインプロセッサに送信し、システム電力が上記第２のシャットダウンモードにあるときに、電力をオンにする命令を該メインプロセッサに送信するように構成されている、上記項目のいずれか一項に記載のシステム。
（項目６）  
テレビジョンのシャットダウンプロセスであって、
低減電力モードのシャットダウンに入るステップであって、該テレビジョンは、該低減電力モードのシャットダウンと低電力モードのシャットダウンとを有する、ステップと、
低減電力モードのシャットダウンの間において、システムパラメータを維持するステップと、
視覚インジケータ表示システムが、低減電力モードのシャットダウンにあることを表示するステップと
を含む、プロセス。
（項目７）  
シャットダウンする命令を受信するステップと、
上記低減電力シャットダウンモードと上記低電力モードとの間での選択をユーザに促すステップと
をさらに含む、上記項目のいずれか一項に記載のプロセス。
（項目８）  
起動する命令を受信するステップと、
メインプロセッサに動作を再開するように命令するステップであって、該メインプロセッサは、システムの動作パラメータが維持される低減電力動作モードを有する、上記項目のいずれか一項に記載のプロセス。
（項目９）  
上記メインプロセッサに動作を再開するように命令する上記ステップは、低電力プロセッサから該再開する命令を送信するステップを含む、上記項目のいずれか一項に記載のプロセス。
（項目１０）  
上記低電力プロセッサが画像表示エンジンに電力供給するステップをさらに含む、上記項目のいずれか一項に記載のプロセス。
（項目１１）  
テレビジョンのシャットダウンプロセスであって、
低電力モードのシャットダウンに入るステップであって、該テレビジョンは、低減電力モードのシャットダウンと該低電力モードのシャットダウンとを含む、ステップと、
低減電力モードのシャットダウンにある間に、システムの動作パラメータを維持するステップと、
視覚インジケータ表示システムが、低減電力モードのシャットダウンにあることを表示するステップと
を含む、プロセス。
（項目１２）  
シャットダウンする命令を受信するステップと、
上記低減電力シャットダウンモードと上記低電力モードとの間での選択をユーザに促すステップと
をさらに含む、上記項目のいずれか一項に記載のプロセス。
（項目１３）  
起動する命令を受信するステップと、
低電力プロセッサを用いることにより、メインプロセッサの電力をオンにするステップであって、該メインプロセッサは、システムの動作パラメータが維持される低減電力動作モードを有する、ステップと、
起動システムチェックを実行するステップと、
メインプロセッサに動作を開始するように命令するステップと
をさらに含む、上記項目のいずれか一項に記載のプロセス。
（項目１４）  
メインプロセッサに動作を開始するように命令する上記ステップは、上記低電力プロセッサから上記開始する命令を送信するステップを含む、上記項目のいずれか一項に記載のプロセス。
（項目１５）  
上記低電力プロセッサが画像表示エンジンに電力供給するステップをさらに含む、上記項目のいずれか一項に記載のプロセス。
【００１２】
（摘要）
テレビジョンにおける、オフ／低電力状態から始動／動作状態への迅速な遷移を容易にするシステムおよび方法。好適な実施形態において、テレビジョンは、スクリーンと、スクリーンに結合された投影／画像ディスプレイエンジンと、表示エンジンに結合されたオンスクリーンディスプレイ（ＯＳＤ）コントローラと、ＯＳＤコントローラに結合されたデジタルモジュール（制御モジュール）とを備えている。制御モジュールは、好適には、低電力動作モードで構成され、かつ、低電力動作モードの間、テレビジョンの動作パラメータを維持するように適合されたプロセッサを備えている。
【図面の簡単な説明】
【００１３】
本発明の詳細は、その構造と動作との療法に関して、添付の図面の検討によって部分的に確かめられ得る。図面においては、同様な参照番号は、同様な部分を指している。図面内のコンポーネントは、必ずしもサイズを合わせられておらず、その代わりに、例示的な実施形態の原理を例示することを重要視している。さらに、全ての例示は、概念を伝えることを意図されており、相対的なサイズ、形状、および他の詳細な属性は、文字通り、または正確に記述されているのではなく、概略的に記述され得る。
【図１】図１は、テレビジョンの制御システムの概略図を描いている。
【図２Ａ】図２は、迅速な始動プロセスの好適な実施形態を例示している流れ図を描いている。
【図２Ｂ】図２は、迅速な始動プロセスの好適な実施形態を例示している流れ図を描いている。
【００１４】
同様な構造または同様な機能の要素は、図面全体を通して例示の目的のために同様な参照番号によって概略的に示されていることに留意されたい。図面は、好適な実施形態の記述を容易にすることを意図されているだけであることにも留意されたい。
【発明を実施するための形態】
【００１５】
本明細書に記述されるシステムと方法とは、テレビジョンにおいて、低減電力状態、すなわち、「スタンバイ」から、始動／動作状態への迅速な遷移を提供する。さらに詳細には、好適な実施形態において、テレビジョンの制御システムのメインプロセッサまたはＣＰＵは、好適には、ＡＭＤのＸｉｌｅｏｎ（商標）プロセッサチップなどの特定のプロセッサまたはＣＰＵチップにおいて現在利用可能である代替の動作状態または低減電力消費モードを含む。スタンバイ状態またはスタンバイモードにおいて、ＣＰＵは、好適には、テレビジョンの標準モードの動作パラメータを維持するので、テレビジョンの始動または再起動の際にテレビジョンの起動およびシステムのチェックプロセスをかなり減少させる。「電源オフ」または「シャットダウン」モードとしてユーザに提示される低電力動作モードにおいて、メインＣＰＵは、好適には、完全に終了されるか、または非働化され、そして、非常に限定された電力消費のＣＰＵまたはＡＳＩＣが、ＩＲコードを検出し、前面の電源キーを検出し、そして、メインＣＰＵと表示エンジンとの電力を制御するために必要とされるロジックを提供する。
【００１６】
詳細に、図を参照すると、図１は、動作の迅速始動モードを提供する制御システム１１０を有するテレビジョン１００を描いている。制御システム１１０は、制御モジュール１４０として描かれたプログラマブルロジックを含む。制御モジュール１４０は、テレビジョンのオンスクリーンディスプレイ（ＯＳＤ）コントローラ１３０に結合されている。ＯＳＤコントローラ１３０は、テレビジョンの投影または画像表示エンジン１２０に結合され、該投影または画像表示エンジン１２０は、表示スクリーン１５０に動作可能に結合されている。
【００１７】
制御モジュール１４０は、好適には、プロセッサ１４６として描かれた、ＡＭＤ  Ｘｉｌｌｅｏｎ（商標）プロセッサチップなどの好適にはチッププロセッサ上のシステムである、低減電力消費モードを有する、低電力動作モードを管理するための単純なＣＰＵなどの１つ以上のプロセッサまたはＣＰＵおよびメインＣＰＵと、不揮発性メモリ１４２と、メモリ１４２に格納された制御システムソフトウェア１４４とを含む。制御システムソフトウェア１４４は、テレビジョンの動作をシャットダウン、起動、および制御するために使用される一組の命令を含む。単純なＣＰＵまたはＡＳＩＣは、好適には、絶対的な最小電力消費に最適化される。
【００１８】
動作において、図２Ａに示されたシャットダウン／起動プロセス２００のプロセスの流れ図に描かれるように、ステップ２０２において、ユーザがテレビジョン１００の遠隔制御ユニットまたは制御パネルの電源ボタンを押したときに、ステップ２０４において、制御システム１１０は、ユーザが、「スタンバイ」または「電源オフ」の選択肢から、好適な「ＴＶオフ」モードを選択するように促す。ユーザが、「電源オフ」を選択した場合には、ステップ２０６において、制御システム１１０は、電力ゼロ付近の状態、すなわち、「低電力」モードにテレビジョン１００を下げる。低電力モードにおいて、テレビジョン１００は、最小の電力を引き出す。ステップ２０８において、ユーザが、電源ボタンを押すと、ステップ２１０において、制御システム１１０は、テレビジョン１００を起動しながら、様々なシステムの調査を全体にわたって進め、そして、準備が完了すると、ステップ２１８において、表示スクリーン１５０の電源を入れて、見る準備を完了する。
【００１９】
ステップ２０４において、ユーザが、「スタンバイ」を選択した場合に、ステップ２１２において、制御システム１１０は、低電力モード、すなわち、スタンバイモードよりもわずかに高い電力状態にテレビジョン１００を下げる。スタンバイモードにおいて、テレビジョン１００は、プロセッサ１４６のメインＣＰＵの低減電力消費モードを利用し、メインＣＰＵは、標準モードの動作パラメータを維持しながら、低電力モードにおけるテレビジョンよりもわずかに高い電力量を引き出す。ステップ２１４において、ユーザが電源ボタンを押したときには、ステップ２１６において、制御システム１１０は、テレビジョン１００を再起動し、システムの調査および他の起動プロセスの大部分を迂回し、準備が完了すると、ステップ２１８において、表示スクリーン１５０の電源を入れて、見る準備を完了する。
【００２０】
あるいは、テレビジョン１００の制御システム１１０は、動作の初期モードとして低電力モードまたはスタンバイモードのいずれかを用いて、メニューシステムのセットアッププロセスを介して構成され得る。
【００２１】
さらなる代替案として、図２Ｂに示されているように、制御システム１１０は、シャットダウン／起動プロセス２０１における動作の初期モードとして、スタンバイモード、すなわち、迅速始動モードを用いて設定される。さらに詳細には、ステップ２０２において、ユーザが電源ボタンを押したときに、ユーザは、テレビジョン１００を完全にシャットダウンされるか、または完全に電源オフにされることによって、ユーザが、続行するかどうかを尋ねられる。ユーザが、「はい」と答えた場合には、制御システム１１０は、ステップ２０６、２０８、および２１０に関して上で考察された低電力モードのシャットダウンおよび起動プロセスに続く。ユーザが、「いいえ」と答えた場合には、制御システム１１０は、ステップ２１２、２１４、および２１６に関して上で考察されたスタンバイモードのシャットダウンおよび再起動に続く。
【００２２】
上で示されたように、スタンバイモードにおいて、制御モジュール１４０、さらに詳細には、制御モジュール１４０のプロセッサ１４６のメインＣＰＵは、完全には電源を切られず、低減電力消費状態のままである。一部の電力消費は、ＲＡＭおよび他のコンポーネントを維持するために必要とされる。スタンバイモードにおいて動作するときに、テレビジョン１００の電力消費は、有利なことに、ＥｎｅｒｇｙＳｔａｒ（商標）システムのオフ電力消費の条件を満たす。対照的に、低電力モードにおいて、制御モジュール１４０は、効率的に電源を切られ、唯一電源を入れられているものは、制御モジュール１４０のプロセッサ１４６の単純なＣＰＵまたは低電力ＣＰＵである。
【００２３】
単に電力コマンドを検出する以上のことを行うために、単純なまたは低電力のマイクロプロセッサまたはＣＰＵを使用することによって、より最適化されたブートが、より低い動作モードと動作のスタンバイモードとの両方にある間に達成され得る。さらに詳細には、単純なＣＰＵ、あるいはＩＲコードを捕捉し得る一部の最適化されたＰＬＤ／ＡＳＩＣからなる回路が、表示エンジン１２０を起動しながら、メインＣＰＵが、システムの調査および他の起動プロセスを行ために使用される。
【００２４】
「スタンバイ」モードにおける間の起動プロセスは、以下のように続く。
１．ユーザが、電源ボタンを押す。
２．低電力ＣＰＵが、電力コマンドを受信する。
３．低電力ＣＰＵが、ＴＶがオフモードであることを知り、表示エンジンをすぐに始動する。
４．低電力ＣＰＵが、再開コマンドをメインＣＰＵに送信する。
５．低電力ＣＰＵが、必要に応じて、砂時計または同様なものを表示エンジンに出力する。
６．メインＣＰＵが、ビデオを見るために必要な設定を可能にし、そして、表示エンジンは、低電力ＣＰＵによって先に起動され、その結果、平行してより迅速な起動を可能にするように始動されているので、表示エンジンが準備を完了するのを長く待つ必要がない。
【００２５】
「低電力」モードにおける間の起動プロセスは、好適には、以下のように続く。
１．ユーザが、電源ボタンを押す。
２．低電力ＣＰＵが、電力コマンドを受信する。
３．低電力ＣＰＵが、ＴＶがオフモードであることを知り、表示エンジンをすぐに始動する。
４．低電力ＣＰＵは、メインＣＰＵに対する電源を入れ、そして、メインＣＰＵは、システムの調査および他の起動プロセスを続行する。
５．低電力ＣＰＵは、必要に応じて、砂時計または同様なものを表示エンジンに出力する。
６．メインＣＰＵが、準備を完了したときに、低電力ＣＰＵは、起動コマンドをメインＣＰＵに送信する。
７．メインＣＰＵが、ビデオを見るために必要な設定を可能にし、そして、表示エンジンは、低電力ＣＰＵによって先に起動され、その結果、平行してより迅速な起動を可能にするように始動されているので、表示エンジンが準備を完了するのを長く待つ必要がない。
【００２６】
上記の明細書において、本発明は、具体的な例示的実施形態を参照して記述されてきた。しかしながら、様々な改変および様々な変更が、本発明のより広範な精神と範囲とを逸脱することなく行われ得ることは、明白である。例えば、本明細書に記述されたプロセスの流れ図に示されたプロセス作用の特定の順序および特定の組み合わせは、特に断りがない場合には、単なる例示であり、そして、本発明は、異なるプロセス作用もしくはさらなるプロセス作用、またはプロセス作用の異なる組み合わせもしくは異なる順序を使用して行われ得ることを、読者は、理解する。別の例として、１つの実施形態の各特徴は、他の実施形態において示された他の特徴と混合されたり、組み合わされたりし得る。当業者に公知の特徴およびプロセスは同様に、所望に応じて組み込まれ得る。さらに、かつ、明らかに、特徴は、所望に応じて追加され得るか、または置換され得る。したがって、本発明は、添付の特許請求の範囲とその均等物とに対する考慮を除いて、制限されるべきではない。
【符号の説明】
【００２７】
１００  テレビジョン
１１０  制御システム
１２０  投影または画像表示エンジン
１３０  オンスクリーンディスプレイ（ＯＳＤ）コントローラ
１４０  制御モジュール
１４２  不揮発性メモリ
１４４  制御システムソフトウェア
１４６  プロセッサ
１５０  表示スクリーン
【図１】
2010063098.tif 000003
【図２Ａ】
2010063098.tif 000004
【図２Ｂ】
2010063098.tif 000005